(57)【要約】【課題】ＨｅｔＮｅｔ環境において、ＣＡが導入された場合に、マクロセルのカバレッジに影響を与えることなく、移動局ＵＥのスループットを向上させる。【解決手段】本発明に係る無線基地局ｅＮＢは、移動局ＵＥが、マクロセル及びスモールセル＃１を用いてＣＡを行っている状態において、スモールセル＃１及びスモールセル＃２における混雑状況、並びに、スモールセル＃１及びスモールセル＃２における通信品質の少なくとも一方に基づいて、スモールセル＃１からスモールセル＃２に移動局ＵＥの接続先を変更するか否かについて決定するように構成されている。【選択図】図１
2015050589.tif 000002
【特許請求の範囲】
【請求項１】
マクロセル、第１スモールセル及び第２スモールセルを管理する無線基地局であって、
移動局が、前記マクロセル及び前記第１スモールセルを用いてキャリアアグリゲーションを行っている状態において、該第１スモールセル及び前記第２スモールセルにおける混雑状況、並びに、該第１スモールセル及び該第２スモールセルにおける通信品質の少なくとも一方に基づいて、該第１スモールセルから該第２スモールセルに該移動局の接続先を変更するか否かについて決定するように構成されている決定部を具備していることを特徴とする無線基地局。
【請求項２】
前記第１スモールセル及び前記第２スモールセルにおける混雑状況として、該第１スモールセル及び該第２スモールセルにおける接続移動局数が用いられるように構成されており、
前記決定部は、前記第１スモールセルにおける接続移動局数が所定閾値よりも多く、かつ、前記第２スモールセルにおける接続移動局数が所定閾値よりも少ない場合に、該第１スモールセルから該第２スモールセルに前記移動局の接続先を変更すると決定するように構成されていることを特徴とする請求項１に記載の無線基地局。
【請求項３】
前記所定閾値は、前記マクロセル内に配置されている所定数のスモールセルにおける接続移動局数の平均値であることを特徴とする請求項２に記載の無線基地局。
【請求項４】
前記第１スモールセル及び前記第２スモールセルにおける混雑状況として、該第１スモールセル及び該第２スモールセルにおける接続移動局数が用いられるように構成されており、
前記決定部は、前記第１スモールセルにおける接続移動局数が前記第２スモールセルにおける接続移動局数よりも多い場合に、該第１スモールセルから該第２スモールセルに前記移動局の接続先を変更すると決定するように構成されていることを特徴とする請求項１に記載の無線基地局。
【請求項５】
前記第１スモールセル及び前記第２スモールセルにおける混雑状況として、該第１スモールセル及び該第２スモールセルにおけるトラフィック量が用いられるように構成されており、
前記決定部は、前記第１スモールセルにおけるトラフィック量が所定閾値よりも多く、かつ、前記第２スモールセルにおけるトラフィック量が所定閾値よりも少ない場合に、該第１スモールセルから該第２スモールセルに前記移動局の接続先を変更すると決定するように構成されていることを特徴とする請求項１に記載の無線基地局。
【請求項６】
前記第１スモールセル及び前記第２スモールセルにおける混雑状況として、該第１スモールセル及び該第２スモールセルにおけるトラフィック量が用いられるように構成されており、
前記決定部は、前記第１スモールセルにおけるトラフィック量が、前記第２スモールセルにおけるトラフィック量よりも所定閾値だけ多い場合に、該第１スモールセルから該第２スモールセルに前記移動局の接続先を変更すると決定するように構成されていることを特徴とする請求項１に記載の無線基地局。
【請求項７】
前記所定閾値は、前記マクロセル内に配置されている所定数のスモールセルにおけるトラフィック量の平均値であることを特徴とする請求項５又は６に記載の無線基地局。
【請求項８】
前記決定部は、前記第１スモールセルにおける前記移動局の通信品質と前記第２スモールセルにおける該移動局の通信品質との差が所定閾値以内である場合に、該第１スモールセルから該第２スモールセルに該移動局の接続先を変更するか否かについて決定するように構成されていることを特徴とする請求項１に記載の無線基地局。
【請求項９】
前記決定部は、前記第１スモールセルにおける前記移動局の通信品質が所定通信品質よりも悪く、前記第２スモールセルにおける該移動局の通信品質が所定通信品質よりも良い場合に、該第１スモールセルから該第２スモールセルに該移動局の接続先を変更するか否かについて決定するように構成されていることを特徴とする請求項１に記載の無線基地局。
【請求項１０】
前記第１スモールセル及び前記第２スモールセルにおける通信品質として、該第１スモールセル及び該第２スモールセルにおけるＲＳＲＰ、ＲＳＲＱ、ＳＩＲ又はＣＱＩが用いられるように構成されていることを特徴とする請求項８又は９に記載の無線基地局。
【発明の詳細な説明】
【技術分野】
【０００１】
本発明は、無線基地局に関する。
【背景技術】
【０００２】
３ＧＰＰでは、ＬＴＥ（Ｌｏｎｇ  Ｔｅｒｍ  Ｅｖｏｌｕｔｉｏｎ）方式を拡張させる方式として、ＬＴＥ-Ａ（Ａｄｖａｎｃｅｄ）方式の標準化が進められている。
【０００３】
ＬＴＥ-Ａ方式では、更なる通信速度の高速化を実現するために、ＣＡ（Ｃａｒｒｉｅｒ  Ａｇｇｒｅｇａｔｉｏｎ、キャリアアグリゲーション）が導入された。
【０００４】
ここで、ＣＡは、移動局ＵＥのピークレートやスループットを向上させるための技術であり、２つ以上のＣＣ（Ｃｏｍｐｏｎｅｎｔ  Ｃａｒｒｉｅｒ、コンポーネントキャリア）を用いて通信を行うことで実現される。
【０００５】
また、ＭＬＢ（Ｍｏｂｉｌｉｔｙ  Ｌｏａｄ  Ｂａｌａｎｃｉｎｇ）は、３ＧＰＰにおいて、ＬＴＥ方式のＲｅｌｅａｓｅ-９において規定された技術である。
【０００６】
ＬＴＥ方式のＲｅｌｅａｓｅ-９において規定されたＭＬＢは、マクロセルのみが存在する環境において、周辺セル（マクロセル）の負荷を考慮して、モビリティ関連のパラメータを調整する技術である。
【０００７】
例えば、ＭＬＢを用いることによって、移動局ＵＥが、セル＃１において接続状態である場合に、セル＃１を管理する無線基地局ｅＮＢ＃１とセル＃２を管理する無線基地局ｅＮＢ＃２との間で負荷情報の交換が行われた結果、セル＃２における負荷がセル＃１における負荷よりも低くなった場合には、ハンドオーバ関連のパラメータ（例えば、ＣＩＯやＨｙｓｔｅｒｅｓｉｓ等）を調整し、移動局ＵＥをセル＃１からセル＃２にハンドオーバし易くすることができる。
【先行技術文献】
【非特許文献】
【０００８】
【非特許文献１】３ＧＰＰ  ＴＲ３６.３００  Ｖ１１.４.０（２０１２年１２月）
【非特許文献２】３ＧＰＰ  ＴＲ３６.３３１  Ｖ１１.２.０（２０１２年１２月）
【非特許文献３】３ＧＰＰ  ＴＳ３２.５２２  Ｖ１１.６.１（２０１３年６月）
【発明の概要】
【発明が解決しようとする課題】
【０００９】
ＬＴＥ-Ａ方式では、ＣＡは、マクロセルのみが存在ずる環境だけでなく、ＨｅｔＮｅｔ環境（すなわち、マクロセル及びスモールセルが混在する環境）にも適用できる。
【００１０】
ＣＡの導入により、特に、ＨｅｔＮｅｔ環境では、移動局ＵＥのスループットを向上させることができるが、スモールセル同士でトラフィック（負荷）に偏りが出る可能性がある。
【００１１】
そのため、ＣＡが導入された場合であっても、混雑しているスモールセルでは、移動局ＵＥのスループットが低減してしまう可能性がある。
【００１２】
しかしながら、ＬＴＥ方式のＲｅｌｅａｓｅ-９において規定されたＭＬＢは、マクロセルのカバレッジに影響を与えるため、ハンドオーバ関連のパラメータの調整の仕方によっては、カバレッジホールが生じてしまう可能性があるという問題点があった。
【００１３】
また、ＬＴＥ方式のＲｅｌｅａｓｅ-９において規定されたＭＬＢは、スモールセルの存在を想定していないため、ＨｅｔＮｅｔ環境において、有効に機能しない可能性があるという問題点があった。
【００１４】
そこで、本発明は、上述の課題に鑑みてなされたものであり、ＨｅｔＮｅｔ環境において、ＣＡが導入された場合に、マクロセルのカバレッジに影響を与えることなく、移動局ＵＥのスループットを向上させることができる無線基地局を提供することを目的とする。
【課題を解決するための手段】
【００１５】
本発明の第１の特徴は、マクロセル、第１スモールセル及び第２スモールセルを管理する無線基地局であって、移動局が、前記マクロセル及び前記第１スモールセルを用いてキャリアアグリゲーションを行っている状態において、該第１スモールセル及び前記第２スモールセルにおける混雑状況、並びに、該第１スモールセル及び該第２スモールセルにおける通信品質の少なくとも一方に基づいて、該第１スモールセルから該第２スモールセルに該移動局の接続先を変更するか否かについて決定するように構成されている決定部を具備していることを要旨とする。
【発明の効果】
【００１６】
以上説明したように、本発明によれば、ＨｅｔＮｅｔ環境において、ＣＡが導入された場合に、マクロセルのカバレッジに影響を与えることなく、移動局ＵＥのスループットを向上させることができる無線基地局を提供することができる。
【図面の簡単な説明】
【００１７】
【図１】本発明の第１の実施形態に係る移動通信システムの全体構成図である。
【図２】本発明の第１の実施形態に係る無線基地局ｅＮＢの機能ブロック図である。
【図３】本発明の第１の実施形態に係る移動通信システムの動作の一例を示すシーケンス図である。
【図４】本発明の第１の実施形態に係る無線基地局ｅＮＢの動作の一例を示すフローチャートである。
【発明を実施するための形態】
【００１８】
（本発明の第１の実施形態に係る移動通信システム）
図１乃至図４を参照して、本発明の第１の実施形態に係る移動通信システムについて説明する。
【００１９】
本実施形態に係る移動通信システムは、ＬＴＥ方式の移動通信システムであって、図１（ａ）及び図１（ｂ）に示すように、本実施形態に係る移動通信システムでは、マクロセル内に、スモールセル＃１及びスモールセル＃２が隣接して配置されている。
【００２０】
ここで、本実施形態に係る移動通信システムでは、マクロセル、スモールセル＃１及びスモールセル＃２は、同一の無線基地局ｅＮＢによって管理されているものとする。
【００２１】
また、本実施形態に係る移動通信システムでは、マクロセルが、移動局ＵＥにおけるＰｃｅｌｌとして設定されており、スモールセル＃１/＃２が、移動局ＵＥにおけるＳｃｅｌｌとして設定されている。
【００２２】
なお、本実施形態に係る移動通信システムでは、マクロセルを管理する無線基地局ｅＮＢを、マスター無線基地局ＭｅＮＢ（Ｍａｓｔｅｒ-ｅＮＢ）或いはマクロセル用無線基地局ＭｅＮＢ（Ｍａｃｒｏ-ｅＮＢ）と呼んでもよい。
【００２３】
本実施形態に係る移動通信システムでは、移動局ＵＥが、マクロセル及びスモールセル＃１（又は、スモールセル＃２）を用いてＣＡを行うことができるように構成されている。すなわち、移動局ＵＥは、マクロセル、スモールセル＃１及びスモールセル＃２におけるＣＣを用いて、かかるＣＡを行うことができるように構成されている。
【００２４】
図２に示すように、無線基地局ｅＮＢは、受信部１１と、決定部１２と、送信部１３とを具備している。
【００２５】
受信部１１は、移動局ＵＥやスモールセルを管理する無線基地局ｅＮＢから各種信号を受信するように構成されており、送信部１３は、移動局ＵＥやスモールセルを管理する無線基地局ｅＮＢに対して各種信号を送信するように構成されている。
【００２６】
決定部１２は、移動局ＵＥが、マクロセル及びスモールセル＃１を用いてＣＡを行っている状態において、スモールセル＃１からスモールセル＃２に移動局ＵＥの接続先を変更するか否かについて決定するように構成されている。
【００２７】
ここで、具体的には、決定部１２は、スモールセル＃１及びスモールセル＃２における混雑状況、並びに、スモールセル＃１及びスモールセル＃２における通信品質の少なくとも一方に基づいて、スモールセル＃１からスモールセル＃２に移動局ＵＥの接続先を変更するか否かについて判定するように構成されている。
【００２８】
例えば、決定部１２は、図１（ａ）に示すように、移動局ＵＥ＃１/ＵＥ＃２が、マクロセル及びスモールセル＃１を用いてＣＡを行っている状態において、スモールセル＃１/＃２においてオフロード条件が満たされている場合、図１（ｂ）に示すように、移動局ＵＥ＃１/ＵＥ＃２（対象の移動局ＵＥ）の接続先をスモールセル＃１からスモールセル＃２に変更する（オフロードする）と決定するように構成されていてもよい。
【００２９】
一方、決定部１２は、図１（ａ）に示すように、移動局ＵＥ＃１/ＵＥ＃２が、マクロセル及びスモールセル＃１を用いてＣＡを行っている状態において、スモールセル＃１/＃２においてオフロード条件が満たされていない場合、図１（ｂ）に示すように、移動局ＵＥ＃１/ＵＥ＃２（対象の移動局ＵＥ）の接続先をスモールセル＃１からスモールセル＃２に変更しないと決定するように構成されていてもよい。
【００３０】
また、決定部１２は、図１（ａ）に示すように、移動局ＵＥ＃１/ＵＥ＃２が、マクロセル及びスモールセル＃１を用いてＣＡを行っている状態において、スモールセル＃１/＃２においてオフロード条件が満たされている場合であっても、図１（ｂ）に示すように、移動局ＵＥ＃１/ＵＥ＃２（対象の移動局ＵＥ）以外の接続先をスモールセル＃１からスモールセル＃２に変更しないと決定するように構成されていてもよい。
【００３１】
ここで、決定部１２は、スモールセル＃１及びスモールセル＃２における混雑状況として、スモールセル＃１及びスモールセル＃２における接続移動局数を用いるように構成されていてもよい。
【００３２】
かかる場合、決定部１２は、スモールセル＃１における接続移動局数が所定閾値よりも多く、かつ、スモールセル＃２における接続移動局数が所定閾値よりも少ない場合に、スモールセル＃１/＃２においてオフロード条件が満たされていると判断し、スモールセル＃１からスモールセル＃２に移動局ＵＥの接続先を変更すると決定するように構成されていてもよい。
【００３３】
例えば、かかる所定閾値としては、マクロセル内に配置されている所定数のスモールセルにおける接続移動局数の平均値が用いられてもよい。
【００３４】
また、決定部１２は、スモールセル＃１における接続移動局数がスモールセル＃２における接続移動局数よりも多い場合に、スモールセル＃１からスモールセル＃２に移動局ＵＥの接続先を変更すると決定するように構成されていてもよい。
【００３５】
ここで、決定部１２は、スモールセル＃１における接続移動局数が、スモールセル＃２における接続移動局数よりも所定閾値だけ多い場合に、スモールセル＃１からスモールセル＃２に移動局ＵＥの接続先を変更すると決定するように構成されていてもよい。
【００３６】
或いは、決定部１２は、スモールセル＃１及びスモールセル＃２における混雑状況として、スモールセル＃１及びスモールセル＃２におけるトラフィック量を用いるように構成されていてもよい。
【００３７】
かかる場合、決定部１２は、スモールセル＃１におけるトラフィック量が所定閾値よりも多く、かつ、スモールセル＃２におけるトラフィック量が所定閾値よりも少ない場合に、スモールセル＃１/＃２においてオフロード条件が満たされていると判断し、スモールセル＃１からスモールセル＃２に移動局ＵＥの接続先を変更すると決定するように構成されていてもよい。
【００３８】
また、決定部１２は、スモールセル＃１におけるトラフィック量が、スモールセル＃２におけるトラフィック量よりも所定閾値だけ多い場合に、スモールセル＃１からスモールセル＃２に移動局ＵＥの接続先を変更すると決定するように構成されていてもよい。
【００３９】
例えば、かかる所定閾値としては、マクロセル内に配置されている所定数のスモールセルにおけるトラフィック量の平均値が用いられてもよい。
【００４０】
ここで、決定部１２は、上述の接続移動局数に係るオフロード条件及びトラフィック量に係るオフロード条件の両方が満たされていると判断した場合に、スモールセル＃１からスモールセル＃２に移動局ＵＥの接続先を変更すると決定するように構成されていてもよい。
【００４１】
また、決定部１２は、決定部１２は、スモールセル＃１における移動局ＵＥの通信品質とスモールセル＃２における移動局ＵＥの通信品質との差が所定閾値（例えば、ｘｄＢ）以内である場合に、かかる移動局ＵＥを対象の移動局ＵＥであると判断し（すなわち、かかる移動局ＵＥがオフロード条件を満たしていると判断し）、スモールセル＃１からスモールセル＃２に移動局ＵＥの接続先を変更するか否かについて決定するように構成されていてもよい。
【００４２】
或いは、決定部１２は、スモールセル＃１における移動局ＵＥの通信品質が所定通信品質よりも悪く、スモールセル＃２における移動局ＵＥの通信品質が所定通信品質よりも良い場合に、スモールセル＃１からスモールセル＃２に移動局ＵＥの接続先を変更するか否かについて決定するように構成されていてもよい。
【００４３】
ここで、決定部１２は、スモールセル＃１及びスモールセル＃２における通信品質として、スモールセル＃１及びスモールセル＃２におけるＲＳＲＰ（Ｒｅｆｅｒｅｎｃｅ  Ｓｉｇｎａｌ  Ｒｅｃｅｉｖｅｄ  Ｐｏｗｅｒ）、ＲＳＲＱ（Ｒｅｆｅｒｅｎｃｅ  Ｓｉｇｎａｌ  Ｒｅｃｅｉｖｅｄ  Ｑｕａｌｉｔｙ）、ＳＩＲ（Ｓｉｇｎａｌ  ｔｏ  Ｉｎｔｅｒｆｅｒｅｎｃｅ  Ｒａｔｉｏ）又はＣＱＩ（Ｃｈａｎｎｅｌ  Ｑｕａｌｉｔｙ  Ｉｎｄｉｃａｔｏｒ）を用いるように構成されていてもよい。
【００４４】
なお、決定部１２は、かかる通信品質として、移動局ＵＥからの報告情報（例えば、Ｍｅａｓｕｒｅｍｅｎｔ  Ｒｅｐｏｒｔ）によって報告された通信品質を用いるように構成されていてもよい。
【００４５】
以下、図３及び図４を参照して、本実施形態に係る移動通信システムの動作について説明する。
【００４６】
第１に、図３を参照して、本実施形態に係る移動通信システムの動作の一例について説明する。
【００４７】
図３に示すように、移動局ＵＥが、マクロセル及びスモールセル＃１を用いてＣＡを行っている状態において、ステップＳ１００１において、マクロセル及びスモールセル＃１を管理する無線基地局ｅＮＢに対して、スモールセル＃１（自セル）及びスモールセル＃２（周辺セル）における通信品質を示す品質情報を含む「Ｍｅｓｕｒｅｍｅｎｔ  Ｒｅｐｏｒｔ」を送信する。
【００４８】
無線基地局ｅＮＢは、ステップＳ１００２において、移動局ＵＥをオフロードする（移動局ＵＥの接続先のスモールセルを変更する）と決定すると、ステップＳ１００３において、移動局ＵＥのオフロード先（移動局ＵＥの接続先のスモールセル）を決定する。
【００４９】
ステップＳ１００４において、無線基地局ｅＮＢは、移動局ＵＥに対して、接続先のスモールセル（Ｓｃｅｌｌ）を変更するように指示する「Ｏｆｆｌｏａｄ  Ｃｏｍｍａｎｄ」を送信する。
【００５０】
移動局ＵＥは、かかる「Ｏｆｆｌｏａｄ  Ｃｏｍｍａｎｄ」に従って、接続先のスモールセルを、スモールセル＃１からスモールセル＃２に変更する。
【００５１】
第２に、図４を参照して、本実施形態に係る無線基地局ｅＮＢの動作の一例について説明する。
【００５２】
図４に示すように、無線基地局ｅＮＢは、ステップＳ１０１において、混雑中のスモールセル＃１を選択し、ステップＳ１０２において、スモールセル＃１において接続状態である移動局ＵＥから受信した「Ｍｅｓｕｒｅｍｅｎｔ  Ｒｅｐｏｒｔ」に基づいて、接続先を変更すべき移動局ＵＥの候補（対象の移動局ＵＥの候補）を選択する。
【００５３】
ステップＳ１０３において、無線基地局ｅＮＢは、かかる対象の移動局ＵＥの候補がオフロード条件を満たしているか否かについて判定する。
【００５４】
「ＹＥＳ」の場合、本動作は、ステップＳ１０４に進み、「ＮＯ」の場合、本動作は、ステップＳ１０５に進む。
【００５５】
ステップＳ１０４において、無線基地局ｅＮＢは、かかる移動局ＵＥ、スモールセル＃１からオフロード条件を満たしているスモールセル＃２にオフロードする。
【００５６】
ステップＳ１０５において、無線基地局ｅＮＢは、上述の対象の移動局ＵＥの候補の全てに対して、ステップＳ１０３及びＳ１０４の処理を行ったか否かについて判定する。
【００５７】
「ＹＥＳ」の場合、本動作は、終了し、「ＮＯ」の場合、本動作は、ステップＳ１０３に戻る。
【００５８】
以上に述べた本実施形態の特徴は、以下のように表現されていてもよい。
【００５９】
本実施形態の第１の特徴は、マクロセル、スモールセル＃１（第１スモールセル）及びスモールセル＃２（第２スモールセル）を管理する無線基地局ｅＮＢであって、移動局ＵＥが、マクロセル及びスモールセル＃１を用いてＣＡ（キャリアアグリゲーション）を行っている状態において、スモールセル＃１及びスモールセル＃２における混雑状況、並びに、スモールセル＃１及びスモールセル＃２における通信品質の少なくとも一方に基づいて、スモールセル＃１からスモールセル＃２に移動局ＵＥの接続先を変更するか否かについて決定するように構成されている決定部１２を具備していることを要旨とする。
【００６０】
かかる特徴によれば、無線基地局ｅＮＢが、移動局ＵＥを、マクロセル及びスモールセル＃１を用いてＣＡを行っている状態から、マクロセル及びスモールセル＃２を用いてＣＡを行っている状態にオフロードさせることによって、ＨｅｔＮｅｔ環境において、ＣＡが導入された場合であっても、マクロセルのカバレッジに影響を与えることなく、移動局ＵＥのスループットを向上させることができる。
【００６１】
本実施形態の第１の特徴において、スモールセル＃１及びスモールセル＃２における混雑状況として、スモールセル＃１及びスモールセル＃２における接続移動局数が用いられるように構成されており、決定部１２は、スモールセル＃１における接続移動局数が所定閾値よりも多く、かつ、スモールセル＃２における接続移動局数が所定閾値よりも少ない場合に、スモールセル＃１からスモールセル＃２に移動局ＵＥの接続先を変更すると決定するように構成されていてもよい。
【００６２】
かかる特徴によれば、スモールセル＃１/＃２における接続移動局数を考慮して、マクロセルのカバレッジに影響を与えることなく、移動局ＵＥの接続先のスモールセルを適切に変更することができる。
【００６３】
本実施形態の第１の特徴において、かかる所定閾値は、マクロセル内に配置されている所定数のスモールセルにおける接続移動局数の平均値であってもよい。
【００６４】
かかる特徴によれば、各スモールセルにおける接続移動局数の平均値に基づいて、各スモールセルが混雑しているか否かについて適切に判定することができる。
【００６５】
本実施形態の第１の特徴において、スモールセル＃１及びスモールセル＃２における混雑状況として、スモールセル＃１及びスモールセル＃２における接続移動局数が用いられるように構成されており、決定部１２は、スモールセル＃１における接続移動局数がスモールセル＃２における接続移動局数よりも多い場合に、スモールセル＃１からスモールセル＃２に移動局ＵＥの接続先を変更すると決定するように構成されていてもよい。
【００６６】
かかる特徴によれば、スモールセル＃１/＃２における接続移動局数を考慮して、マクロセルのカバレッジに影響を与えることなく、移動局ＵＥの接続先のスモールセルを適切に変更することができる。
【００６７】
本実施形態の第１の特徴において、スモールセル＃１及びスモールセル＃２における混雑状況として、スモールセル＃１及びスモールセル＃２におけるトラフィック量が用いられるように構成されており、決定部１２は、スモールセル＃１におけるトラフィック量が所定閾値よりも多く、かつ、スモールセル＃２におけるトラフィック量が所定閾値よりも少ない場合に、スモールセル＃１からスモールセル＃２に移動局ＵＥの接続先を変更すると決定するように構成されていてもよい。
【００６８】
本実施形態の第１の特徴において、スモールセル＃１及びスモールセル＃２における混雑状況として、スモールセル＃１及びスモールセル＃２におけるトラフィック量が用いられるように構成されており、決定部１２は、スモールセル＃１におけるトラフィック量が、スモールセル＃２におけるトラフィック量よりも所定閾値だけ多い場合に、スモールセル＃１からスモールセル＃２に移動局ＵＥの接続先を変更すると決定するように構成されていてもよい。
【００６９】
かかる特徴によれば、スモールセル＃１/＃２におけるトラフィック量を考慮して、マクロセルのカバレッジに影響を与えることなく、移動局ＵＥの接続先のスモールセルを適切に変更することができる。
【００７０】
本実施形態の第１の特徴において、かかる所定閾値は、マクロセル内に配置されている所定数のスモールセルにおけるトラフィック量の平均値であってもよい。
【００７１】
かかる特徴によれば、各スモールセルにおけるトラフィック量の平均値に基づいて、各スモールセルが混雑しているか否かについて適切に判定することができる。
【００７２】
本実施形態の第１の特徴において、決定部１２は、スモールセル＃１における移動局ＵＥの通信品質とスモールセル＃２における移動局ＵＥの通信品質との差が所定閾値以内である場合に、スモールセル＃１からスモールセル＃２に移動局ＵＥの接続先を変更するか否かについて決定するように構成されていてもよい。
【００７３】
本実施形態の第１の特徴において、決定部１２は、スモールセル＃１における移動局ＵＥの通信品質が所定通信品質よりも悪く、スモールセル＃２における移動局ＵＥの通信品質が所定通信品質よりも良い場合に、スモールセル＃１からスモールセル＃２に移動局ＵＥの接続先を変更するか否かについて決定するように構成されていてもよい。
【００７４】
かかる特徴によれば、適切に、スモールセルの接続先を変更する移動局ＵＥを選択することができる。
【００７５】
本実施形態の第１の特徴において、スモールセル＃１及びスモールセル＃２における通信品質として、スモールセル＃１及びスモールセル＃２におけるＲＳＲＰ、ＲＳＲＱ、ＳＩＲ又はＣＱＩが用いられるように構成されていてもよい。
【００７６】
かかる特徴によれば、スモールセルの接続先を変更する移動局ＵＥを選択する際に適切な基準を用いることができる。
【００７７】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００７８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００８０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８１】
ｅＮＢ…無線基地局
ＵＥ…移動局
１１…受信部
１２…決定部
１３…送信部
【図１】
2015050589.tif 000003
【図２】
2015050589.tif 000004
【図３】
2015050589.tif 000005
【図４】
2015050589.tif 000006